(57)【要約】【課題】礫堆積底域や砂礫底域に容易に挿入でき、しかも一旦挿入された後は安定的に固定され、波浪で転がって破損したり埋没したりする恐れが殆ど無いサンゴ人工増殖具の提供。【解決手段】サンゴ育成部３の下側に固着させた挿入部１１は本体１３の外周に設けられた対生または互生の少なくとも一対の羽状返し突起２１を備え、上下に隣り合う返し突起２１どうしの距離は枝状サンゴの直径以上に設定する。返し突起の外側面２３は下方に膨出した滑らかな湾曲面、例えば、側方視で現れる返し突起の外側面の下側輪郭線を上下で隣り合う返し突起どうしの距離の１／２を半径とする円弧軌跡に近似したものにし、且つ、挿入部の内側面２９を中央部に稜線を有する山状にすることが好ましい。【選択図】        図１
2010011822.tif 000002
【特許請求の範囲】
【請求項１】
サンゴ育成部と挿入部とからなるサンゴ人工増殖具において、
前記挿入部は棒状内至板状の本体と、前記本体の外周に設けられた対生または互生の少なくとも一対の羽状返し突起を備え、
上下に隣り合う返し突起どうしの距離は枝状サンゴの直径以上に設定されていることを特徴とするサンゴ人工増殖具。
【請求項２】
請求項１に記載したサンゴ人工増殖具において、
返し突起の外側面は下方に膨出した滑らかな湾曲面になっていることを特徴とするサンゴ人工増殖具。
【請求項３】
請求項２に記載したサンゴ人工増殖具において、
側方視で現れる返し突起の外側面の下側輪郭線は上下で隣り合う返し突起どうしの間隔の１／２を半径とする円弧軌跡に近似したものになっていることを特徴とするサンゴ人工増殖具。
【請求項４】
請求項１から３のいずれかに記載したサンゴ人工増殖具において、
挿入部の内側面は中央部に稜線を有する山状になっていることを特徴とするサンゴ人工増殖具。
【請求項５】
請求項１から４のいずれかに記載したサンゴ人工増殖具を使用し、サンゴ育成部にサンゴの幼生を着床しまたは生きたサンゴ小片を取り付けた後、礫堆積底域や砂礫底域に挿入部を差込むことを特徴とするサンゴ人工増殖方法。
【発明の詳細な説明】
【技術分野】
【０００１】
本発明は、サンゴ礁の礫堆積底域や砂礫底域に設置できるサンゴ人工増殖具および当該サンゴ人工増殖具を用いたサンゴ人工増殖方法に関するものである。
【背景技術】
【０００２】
造礁サンゴの人工的な育成は、従来から行われているが、有性生殖による場合には産卵・受精後発生が進んだ幼生を着床させた人工基盤を適当な増殖対象海域に固定することにより、無性生殖による場合には生きたサンゴ群体の小片を作り、そのサンゴ小片をやはり適当な増殖対象海域に固定することにより行なわれている。
ところで、増殖対象海域としては環境面の考慮から礁池が推奨されるが、特許文献１には、岩盤にドリルで穴を開けそこに人工基盤の棒を差込むことで固定することが教示されている。
【０００３】
而して、大半の礁池は生息していた枝状サンゴが死滅後そのまま堆積した礫堆積底域や、破砕後堆積した砂礫底域になっており、上記のような岩盤に対する固定方法をそのまま適用することはできない。その一方で、一旦安定的に固定できれば、枝状サンゴやその破片には海藻類が付着しているため、波浪でも移動され難く、砂礫移動の影響を受けることが少ない利点がある。
【０００４】
【特許文献１】特開２００３−６１５０６号公報
【発明の開示】
【発明が解決しようとする課題】
【０００５】
本発明は、上記した課題を解決するために、礫堆積底域や砂礫底域でも、人工基盤やサンゴ破片の固定作業が容易で、しかも安定的に固定状態を維持できる固定機能を備えたサンゴ人工増殖具を提供することを目的とする。
また、本発明は、上記した人工増殖具を用いたサンゴ人工増殖方法を提供することを目的とする。
【課題を解決するための手段】
【０００６】
本発明者は、鋭意研究の結果、挿入部の形状を工夫することで、礫堆積底域や砂礫底域に容易に挿入でき、しかも一旦挿入された後は安定的に固定され、波浪で転がって破損したり埋没したりする恐れが殆ど無いサンゴ人工増殖具を開発することに成功したので、以下に提案する。
【０００７】
請求項１の発明は、サンゴ育成部と挿入部とからなるサンゴ人工増殖具において、前記挿入部は棒状内至板状の本体と、前記本体の外周に設けられた対生または互生の少なくとも一対の羽状返し突起を備え、上下に隣り合う返し突起どうしの距離は枝状サンゴの直径以上に設定されていることを特徴とするサンゴ人工増殖具である。
請求項２の発明は、請求項１に記載したサンゴ人工増殖具において、返し突起の外側面は下方に膨出した滑らかな湾曲面になっていることを特徴とするサンゴ人工増殖具である。
請求項３の発明は、請求項２に記載したサンゴ人工増殖具において、側方視で現れる返し突起の外側面の下側輪郭線は上下で隣り合う返し突起どうしの間隔の１／２を半径とする円弧軌跡に近似したものになっていることを特徴とするサンゴ人工増殖具である。
請求項４の発明は、請求項１から３のいずれかに記載したサンゴ人工増殖具において、返し突起の内側面は中央部に稜線を有する山状になっていることを特徴とするサンゴ人工増殖具である。
【０００８】
請求項５の発明は、請求項１から４のいずれかに記載したサンゴ人工増殖具を使用し、サンゴ育成部にサンゴの幼生を着床しまたは生きたサンゴ小片を取り付けた後、礫堆積底域や砂礫底域に挿入部を差込むことを特徴とするサンゴ人工増殖方法である。
【発明の効果】
【０００９】
本発明のサンゴ人工増殖具を用いれば、礫堆積底域や砂礫底域に容易に挿入でき、しかも一旦挿入された後は安定的に固定され、波浪で転がって破損したり埋没したりする恐れが殆ど無い。
【発明を実施するための最良の形態】
【００１０】
以下、本発明の第１の実施の形態に係るサンゴ人工増殖具１について、図面に従って説明する。
このサンゴ人工増殖具１の想定される設置箇所は、礫堆積底域や砂礫底域であり、そこでは死滅した枝状サンゴ（死骸：直径１０〜２０ｍｍ程度、長さ（長くて）２００〜３００ｍｍ程度）がそのままランダムに堆積または破砕後ランダムに堆積して堆積層Ｌが形成されている。堆積層Ｌの厚さは３０〜５０ｃｍ程度である。堆積層Ｌの間には不定形の隙間があり、表面で露出した隙間の広さは５〜１０ｃｍ程度である。
【００１１】
先ず、サンゴ人工増殖具１の構成について説明する。
図１に示すように、サンゴ人工増殖具１は、サンゴ育成部３と挿入部１１とからなる。
サンゴ育成部３と挿入部１１の素材は、それぞれ、設置環境に影響を与えない自然素材の素焼きの瀬戸物がよい。安価に大量生産でき、特に挿入部１１については複雑な形状でありながら、一体に成型でき適当な強度を保持できるからである。例えば、粘土を素材とし、石膏型を用いて圧力鋳込み法により成型した後、１２５０℃程度の高温で酸化焼成したものが候補として挙げられる。
【００１２】
サンゴ育成部３は円盤状をなしており、中心部には円状の凹部５が形成されている。また、上面と下面には、半径方向に向かって放射状に延びて外周に到達する溝７、７……が形成され、さらに、外周面に上下に延びた溝９、９、……が形成されている。このサンゴ育成部３は生きたサンゴ小片Ｓや幼生を固着させるものであり、上記の凹部５に差込まれ、適当な接着剤（図示省略）で固められる。
サンゴ育成部３の円盤の直径は２０〜３０ｍｍ程度、厚さは１５〜２５ｍｍ程度、凹部５の内径は１０〜２０ｍｍ程度、深さは１０〜２０ｍｍ程度に設定される。
【００１３】
挿入部１１の本体１３は幅寸法に対して長手寸法の長い板状をなしており、その角は丸みが付けられている。また、本体１３の板面は長手方向中心線（パーチングライン）を山の稜線１５として幅方向両端部に向かって傾斜して下がっている。本体１３の先端部１７は先端に向かって徐々に板面の幅寸法が小さくなるように両側縁が傾斜されて尖った三角形状をなしている。
本体１３の太さは２０〜５０ｍｍ程度、長さは５０〜５００ｍｍ程度に設定される。
本体１３の基端には六角形状の取付部１９が設けられており、図２の矢印に示すように、その取付部１９にサンゴ育成部３の円状面の中心部分が適当な接着剤（図示省略）を介して固着されて一体化されている。
【００１４】
符号２１、２１、……は羽状の返し突起を示す。一対の返し突起２１、２１が本体１３の板面を介して対向突設されており、所謂対生になっている。この挿入部１１では、一対の返し突起２１、２１が一定の間隔を置いて５個突設されている。
各返し突起２１は、本体１３の板面の幅部を基端部とし、そこから斜め上方に向かって延び出ており、各縁には丸みが付けられている。
【００１５】
図１に示すように、各返し突起２１の外側面２３は下方に膨出した滑らかな湾曲面になっている。図３の側面図に示すように、長手方向だけでなく、幅方向も湾曲しており、中心部分の外側輪郭線（パーチングライン上の線でもある）２５より縁部分の外側輪郭線２７の方が内側に後退している。
【００１６】
図４の断面図で定義されている上下に隣り合う返し突起２１どうしの距離（Ｄ）は、枝状サンゴやその破砕されたサンゴ破片の直径以上である１０〜２０ｍｍ以上に設定される。
また、返し突起２１の外側面２３の中心部分の外側輪郭線２５は１／２Ｄを半径とする円弧軌跡（点線）に近似したものに設定される。
【００１７】
各返し突起２１の内側面２９は中央部に山の稜線３１（パーチングライン上の線でもある）を有しており、稜線３１の両側は略平面になっている。
本体１３の板面の稜線１５と、上記内側面２９の稜線３１は同一平面上にある。
従って、側方視におけるＶ字状の開口部３３の角度（θ）は、両縁側で最も大きく、内方に行くほど小さくなっている。開口部３３の角度（θ）は、全体に亘って３０〜９０°、好ましくは３０〜４５°の範囲内に収まるように設定される。
また、図５に示すように、各返し突起２１の上側輪郭線３５は上方に膨出した湾曲線になっている。
【００１８】
次に、サンゴ人工増殖具１の設置方法について説明する。
ダイバーが潜って、手でその隙間に、図６に示すように、サンゴ人工増殖具１を抵抗を避けながら押込んで差込む。その際、堆積層Ｌにサンゴ育成部３の外周面が埋没するように差込む。なお、図６では視認の便宜のため、サンゴ育成部３に固着されたサンゴ小片や、サンゴ破片に絡み付いている藻類の描画は省略されている。
【００１９】
上記したように、返し突起２１の外側面２３が湾曲しているので、堆積層Ｌにスムーズに差込める。また、上記のように返し突起２１どうしの距離（Ｄ）が設定されているので、差込まれたときには返し突起２１は枝状サンゴやサンゴ破片に引っ掛かって抜け難くなっている。
また、設置後は、堆積層Ｌに付着している藻類（図示省略）が返し突起２１の内側面２９側のＶ字状の開口部３３から入り込んで、返し突起２１の山状部を伝わって絡み付いていくので、一層抜け難くなっている。
【００２０】
以下、本発明の第２の実施の形態に係るサンゴ人工増殖具４１について、図
７に従って説明する。
このサンゴ人工増殖具４１は、第１の実施の形態に係るサンゴ人工増殖具１と略同じ構成をしているが、挿入部４３の返し突起２１が互生になっている点が異なる。
このように返し突起２１になっていても、サンゴ人工増殖具１と同じように使用でき、同じような効果を享受できる。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、本発明は挿入部の形状に技術的特徴を有するものであり、その他については任意に設計できる。例えば、サンゴ育成部については従来またはこれから案出される適宜な形状・素材のものを利用できる。また、有性生殖の場合には、サンゴ育成部の素材は、幼生と相性の良いものとすべきである。
さらに、返し突起は最低一対以上、即ち２つ以上有ればよく、挿入部１１の長さの関係で合計が奇数個になってもかまわない。
【実施例】
【００２２】
第１の実施の形態に係るサンゴ人工増殖具１を用いた。
サンゴ人工増殖具１は、サンゴ育成部３（円盤：直径３０ｍｍ、厚さ２０ｍｍ、凹部：内径１５ｍｍ、深さ１５ｍｍ）、挿入部１１（本体：長さ１１０ｍｍ、板面幅寸法２０ｍｍ、板厚寸法８ｍｍ）、返し突起２１（距離（Ｄ）：２０ｍｍ）の寸法で設計されている。
２００６年９月に、沖縄県八重山郡竹富町黒島周辺において、サンゴ人工増殖具１を、砂底域（＝砂区）、砂礫底域（＝砂礫区）、礫堆積底域（＝死枝骨格区）の３底質域（水深３ｍ）に、各３０個を挿入し、台風１３号が八重山群島通過（２００６年９月１５日、波高１２ｍ程度）の後直ぐに流出状況を観察した結果を、図８に示す。
砂底域では大半が流出したものの、砂礫底域では６０％が正常であり、礫堆積底域では流出したものは無く、しかも９０％以上が挿入時と同じ状態であった。
この結果は、本発明の人工増殖具の有効性を実証するものである。
【産業上の利用可能性】
【００２３】
本発明のサンゴ人工増殖具を用いれば、有性生殖・無性生殖を問わず、礫堆積底域や砂礫底域で造礁サンゴを安定的に育成することができる。しかも、挿入が容易なので、ボランティアなどにより作業を進めることもできる。
【図面の簡単な説明】
【００２４】
【図１】第１の実施の形態に係るサンゴ人工増殖具の斜視図である。
【図２】図１のサンゴ人工増殖具の分解斜視図である。
【図３】図１のサンゴ人工増殖具の挿入部の本体板厚面方向から見た側面図である。
【図４】図３の挿入具の本体板面上のパーチングラインで切断したときに見える断面図である。
【図５】図１のサンゴ人工増殖具の挿入部の本体板面方向から見た側面図である。
【図６】図１のサンゴ人工増殖具の設置方法の説明図である。
【図７】第２の実施の形態に係るサンゴ人工増殖具の図３に対応する側面図である。
【図８】実施例における観察結果を示すグラフである。
【符号の説明】
【００２５】
１…サンゴ人工増殖具（第１の実施の形態）
３…サンゴ育成部          ５…凹部                ７、９…溝
１１…挿入部              １３…本体              １５…山の稜線
１７…先端部              １９…取付部            ２１…返し突起
２３…外側面              ２５…中心部分の外側輪郭線
２７…縁部分の外側輪郭線                          ２９…内側面
３１…山の稜線            ３３…V字状開口部      ３５…上側輪郭線
４１…サンゴ人工増殖具（第２の実施の形態）        ４３…挿入部
Ｄ…返し突起の距離
θ…Ｖ字状開口部の角度
Ｌ‥堆積層
【図１】
2010011822.tif 000003
【図２】
2010011822.tif 000004
【図３】
2010011822.tif 000005
【図４】
2010011822.tif 000006
【図５】
2010011822.tif 000007
【図６】
2010011822.tif 000008
【図７】
2010011822.tif 000009
【図８】
2010011822.tif 000010